(57)【要約】  本開示は、複数のダイナミックレンジの色のグラフィックスのデータから、所定のダイナミックレンジの色のグラフィックスを生成することができるようにする情報処理装置、情報処理方法、およびプログラム、並びに記録媒体に関する。プロセッサは、グラフィックスに使用可能なSDRの色の情報であるSDRのPDSと、グラフィックスに使用可能なHDRのダイナミックレンジの色の情報であるHDRのPDSと、SDRのPDSとHDRのPDSを識別するsegment_typeとを含むグラフィックスストリームから、segment_typeに基づいて、SDRのPDSとHDRのPDSを識別する。CLUT管理部は、プロセッサにより識別されたSDRのPDSに基づいて、SDRのグラフィックスを生成する。本開示は、例えば、再生装置等に適用することができる。
2016039170.tif 000002
【特許請求の範囲】
【請求項１】
グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームから、前記識別情報に基づいて、前記第１の色情報と前記第２の色情報を識別する識別部と、
前記識別部により識別された前記第１の色情報に基づいて、前記第１のダイナミックレンジの色の前記グラフィックスを生成する生成部と
を備える情報処理装置。
【請求項２】
前記生成部は、前記識別部により識別された前記第２の色情報に基づいて、前記第２のダイナミックレンジの色の前記グラフィックスを生成する
請求項１に記載の情報処理装置。
【請求項３】
前記第１の色情報と前記第２の色情報は、それぞれ、セグメントに配置され、
前記識別情報は、前記第１の色情報が配置される前記セグメントのタイプを表す第１のセグメントタイプ情報と、前記第２の色情報が配置される前記セグメントのタイプとして、前記第１の色情報が配置される前記セグメントのタイプとは異なるタイプを表す第２のセグメントタイプ情報とからなる
ように構成された
請求項１に記載の情報処理装置。
【請求項４】
前記第１のセグメントタイプ情報は、前記第１の色情報が配置される前記セグメントに配置され、
前記第２のセグメントタイプ情報は、前記第２の色情報が配置される前記セグメントに配置される
ように構成された
請求項３に記載の情報処理装置。
【請求項５】
前記第１の色情報が配置される前記セグメントと、前記第２の色情報が配置される前記セグメントは、PDS(Palette Definition Segment)である
ように構成された
請求項３に記載の情報処理装置。
【請求項６】
前記第１のダイナミックレンジは、SDR（standard dynamic range）であり、前記第２のダイナミックレンジは、HDR（high dynamic range）である
ように構成された
請求項１に記載の情報処理装置。
【請求項７】
前記グラフィックスは、字幕である
ように構成された
請求項１に記載の情報処理装置。
【請求項８】
前記グラフィックスは、メニュー画像である
請求項１に記載の情報処理装置。
【請求項９】
情報処理装置が、
グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームから、前記識別情報に基づいて、前記第１の色情報と前記第２の色情報を識別する識別ステップと、
前記識別ステップの処理により識別された前記第１の色情報に基づいて、前記第１のダイナミックレンジの色の前記グラフィックスを生成する生成ステップと
を含む情報処理方法。
【請求項１０】
コンピュータを、
グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームから、前記識別情報に基づいて、前記第１の色情報と前記第２の色情報を識別する識別部と、
前記識別部により識別された前記第１の色情報に基づいて、前記第１のダイナミックレンジの色の前記グラフィックスを生成する生成部と
して機能させるためのプログラム。
【請求項１１】
グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームが記録され、情報処理装置に装着され、再生される記録媒体であって、
前記グラフィックスストリームを取得した情報処理装置に、前記グラフィックスストリームから、前記識別情報に基づいて、前記第１の色情報と前記第２の色情報を識別させ、
識別された前記第１の色情報に基づいて、前記第１のダイナミックレンジの色の前記グラフィックスを生成させる
記録媒体。
【請求項１２】
グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームを生成する生成部
を備える情報処理装置。
【発明の詳細な説明】
【技術分野】
【０００１】
本開示は、情報処理装置、情報処理方法、およびプログラム、並びに記録媒体に関し、特に、複数のダイナミックレンジの色のグラフィックスのデータから、所定のダイナミックレンジの色のグラフィックスを生成することができるようにした情報処理装置、情報処理方法、およびプログラム、並びに記録媒体に関する。
【背景技術】
【０００２】
BDA（ブルーレイディスクアソシエーション）は、BD（Blu-ray（登録商標） Disc）に関する規格を策定した。BDには、主映像、字幕やメニュー画像であるグラフィックス、音声などを記録することができる（例えば、特許文献１参照）。【０００３】
現在、BDAは、UHD(Ultra High Definition) BD規格を策定中である。UHD BD規格では、４Ｋ解像度拡張、HDR（high dynamic range）拡張などを行うことが議論されている。
【先行技術文献】
【特許文献】
【０００４】
【特許文献１】特開2010-268432号公報
【発明の概要】
【発明が解決しようとする課題】
【０００５】
しかしながら、市場には、HDR画像を表示可能なHDR対応表示装置と、HDR画像を表示不可能なSDR（standard dynamic range）対応表示装置とが、混在している。従って、BDは、HDRのグラフィックスのデータとSDRのグラフィックスのデータの両方を記録する必要があり、再生装置は、その両方のデータから、表示装置が表示可能な色のダイナミックレンジのグラフィックスを生成する必要がある。【０００６】
本開示は、このような状況に鑑みてなされたものであり、複数のダイナミックレンジの色のグラフィックスのデータから、所定のダイナミックレンジの色のグラフィックスを生成することができるようにするものである。
【課題を解決するための手段】
【０００７】
本開示の第１の側面の情報処理装置は、グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームから、前記識別情報に基づいて、前記第１の色情報と前記第２の色情報を識別する識別部と、前記識別部により識別された前記第１の色情報に基づいて、前記第１のダイナミックレンジの色の前記グラフィックスを生成する生成部とを備える情報処理装置である。【０００８】
本開示の第１の側面の情報処理方法およびプログラムは、本開示の第１の側面の情報処理装置に対応する。【０００９】
本開示の第１の側面においては、グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームから、前記識別情報に基づいて、前記第１の色情報と前記第２の色情報が識別され、識別された前記第１の色情報に基づいて、前記第１のダイナミックレンジの色の前記グラフィックスが生成される。【００１０】
本開示の第２の側面の記録媒体は、グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームが記録され、情報処理装置に装着され、再生される記録媒体であって、前記グラフィックスストリームを取得した情報処理装置に、前記グラフィックスストリームから、前記識別情報に基づいて、前記第１の色情報と前記第２の色情報を識別させ、識別された前記第１の色情報に基づいて、前記第１のダイナミックレンジの色の前記グラフィックスを生成させる記録媒体である。【００１１】
本開示の第２の側面においては、グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームが記録され、情報処理装置に装着され、再生される。【００１２】
本開示の第３の側面の情報処理装置は、グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームを生成する生成部を備える情報処理装置である。【００１３】
本開示の第３の側面においては、グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームが生成される。
【発明の効果】
【００１４】
本開示の第１の側面によれば、グラフィックスを生成することができる。また、本開示の第１の側面によれば、複数のダイナミックレンジの色のグラフィックスのデータから、所定のダイナミックレンジの色のグラフィックスを生成することができる。【００１５】
また、本開示の第２および第３の側面によれば、グラフィックスを生成させることができる。また、本開示の第２および第３の側面によれば、複数のダイナミックレンジの色のグラフィックスのデータから、所定のダイナミックレンジの色のグラフィックスを生成させることができる。【００１６】
なお、ここに記載された効果は必ずしも限定されるものではなく、本開示中に記載されたいずれかの効果であってもよい。
【図面の簡単な説明】
【００１７】
【図１】本開示を適用した記録再生システムの一実施の形態の構成例を示すブロック図である。
【図２】図１の光ディスクに記録されるファイルの管理構造の例を示す図である。
【図３】ＡＶストリームの構成例を示す図である。
【図４】グラフィックスストリームの構成例を示す図である。
【図５】字幕ストリームのDisplaySetの構成例を示す図である。
【図６】メニューストリームのDisplaySetの構成例を示す図である。
【図７】PDSのシンタクスの例を示す図である。
【図８】図１の記録装置の構成例を示すブロック図である。
【図９】図８の記録装置の記録処理を説明するフローチャートである。
【図１０】図１の再生装置の構成例を示すブロック図である。
【図１１】図１０のグラフィックスデコーダの構成例を示すブロック図である。
【図１２】図１０の再生装置の再生処理を説明するフローチャートである。
【図１３】字幕ストリームのDisplaySetの他の構成例を示す図である。
【図１４】コンピュータのハードウエアの構成例を示すブロック図である。
【発明を実施するための形態】
【００１８】
以下、本開示を実施するための形態（以下、実施の形態という）について説明する。なお、説明は以下の順序で行う。
１．第１実施の形態：記録再生システム（図１乃至図１３）
２．第２実施の形態：コンピュータ（図１４）
【００１９】
＜第１実施の形態＞
（記録再生システムの一実施の形態の構成例）
図１は、本開示を適用した記録再生システムの一実施の形態の構成例を示すブロック図である。
【００２０】
図１の記録再生システムは、記録装置１、再生装置２、および表示装置３から構成される。再生装置２と表示装置３はHDMI（登録商標）(High Definition Multimedia Interface)ケーブル４を介して接続される。再生装置２と表示装置３が他の規格のケーブルを介して接続されるようにしてもよいし、無線による通信を介して接続されるようにしてもよい。
【００２１】
記録装置１は、主映像、グラフィックス、音声などのコンテンツを記録し、再生装置２（情報処理装置）は、コンテンツを再生する。記録装置１から再生装置２に対するコンテンツの提供は、記録装置１および再生装置２に装着される光ディスク１１を用いて行われる。光ディスク１１は、例えばBD-ROM（Read Only Memory）フォーマットに準ずるフォーマットで、コンテンツが記録されたディスクである。
【００２２】
光ディスク１１に対するコンテンツの記録がBD-R,-REなどの他のフォーマットに準ずるフォーマットで行われるようにしてもよい。また、記録装置１から再生装置２に対するコンテンツの提供が、フラッシュメモリを搭載したメモリカードなどの、光ディスク以外のリムーバブルメディアを用いて行われるようにしてもよい。
【００２３】
光ディスク１１がBD-ROMのディスクである場合、記録装置１は例えばコンテンツのオーサが使う装置となる。以下、適宜、記録装置１によってコンテンツが記録された光ディスク１１が再生装置２に提供されるものとして説明するが、実際には、記録装置１によりコンテンツが記録されたマスター盤に基づいて光ディスクが複製され、その一つである光ディスク１１が再生装置２に提供される。
【００２４】
記録装置１に対しては、HDRの主映像の画像データ、SDRの主映像の画像データ、HDRのグラフィックスの画像データ、およびSDRのグラフィックスの画像データ、音声データ等が入力される。記録装置１は、これらのデータを符号化し、多重化して、１本のTS（Transport Stream）であるＡＶストリームを生成する。記録装置１は、生成されたＡＶストリーム等を光ディスク１１に記録する。
【００２５】
再生装置２は、HDMIケーブル４を介して表示装置３と通信を行い、表示装置３の表示性能に関する情報を取得する。再生装置２は、表示装置３がHDR画像の表示が可能なモニタであるHDRモニタを有する装置であるのか、SDR画像の表示しかできないモニタであるSDRモニタを有する装置であるのかを特定する。
【００２６】
また、再生装置２は、ドライブを駆動し、光ディスク１１に記録されたＡＶストリームを読み出す。再生装置２は、ＡＶストリームを、HDRの主映像のES（Elementary Stream）であるHDR主映像ストリーム、SDRの主映像のESであるSDR主映像ストリーム、HDRおよびSDRのグラフィックスのESであるグラフィックスストリーム、音声のESである音声ストリームに分離する。再生装置２は、HDR主映像ストリーム、SDR主映像ストリーム、および音声ストリームを復号する。
【００２７】
また、再生装置２は、表示装置３がHDRモニタを有する場合、グラフィックスストリームを復号して、HDRのグラフィックスの画像データを生成する。一方、表示装置３がSDRモニタを有する場合、再生装置２は、グラフィックスストリームを復号して、SDRのグラフィックスの画像データを生成する。
【００２８】
再生装置２は、表示装置３がHDRモニタを有する場合、復号して得られたHDRの主映像の画像データと、HDRのグラフィックスの画像データとを、表示装置３に出力する。一方、再生装置２は、表示装置３がSDRモニタを有する場合、復号して得られたSDRの主映像の画像データと、SDRのグラフィックスの画像データとを、表示装置３に出力する。また、再生装置２は、復号して得られた音声データを表示装置３に出力する。
【００２９】
表示装置３は、再生装置２から送信されたSDRまたはHDRの主映像の画像データおよびグラフィックスの画像データを受信し、SDRまたはHDRの主映像およびグラフィックスを内蔵するモニタに表示する。また、表示装置３は、再生装置２から送信されてきた音声データを受信し、音声をスピーカから出力させる。
【００３０】
(ディレクトリ構造)
図２は、図１の光ディスク１１に記録されるファイルの管理構造の例を示す図である。
【００３１】
光ディスク１１に記録される各ファイルはディレクトリ構造により階層的に管理される。光ディスク１１上には１つのrootディレクトリが作成される。
【００３２】
rootディレクトリの下にはBDMVディレクトリが置かれる。
【００３３】
BDMVディレクトリの下には、「Index.bdmv」の名前が設定されたファイルであるIndexファイルと、「MovieObject.bdmv」の名前が設定されたファイルであるMovie Objectファイルが格納される。
【００３４】
Indexファイルには、例えば、光ディスク１１に記録されているタイトルの番号の一覧と、そのタイトルの番号に対応して実行されるオブジェクトの種類および番号が記述される。オブジェクトの種類としては、ムービーオブジェクト（Movie Object）とBD-Jオブジェクト（BD-J Object）の２種類がある。
【００３５】
ムービーオブジェクトは、PlayListの再生等に用いられるコマンドであるナビゲーションコマンドが記述されるオブジェクトである。BD-Jオブジェクトは、BD-Jアプリケーションが記述されるオブジェクトである。Movie Objectファイルには、ムービーオブジェクトが記述される。
【００３６】
BDMVディレクトリの下にはまた、PLAYLISTディレクトリ、CLIPINFディレクトリ、STREAMディレクトリ等が設けられる。
【００３７】
PLAYLISTディレクトリには、ＡＶストリームの再生を管理するための再生管理情報として用いられるPlayListを記述したPlayListファイルが格納される。各PlayListファイルには、５桁の数字と拡張子「.mpls」を組み合わせた名前が設定される。図２に示す１つのPlayListファイルには「00000.mpls」のファイル名が設定されている。
【００３８】
CLIPINFディレクトリには、所定の単位のＡＶストリームに関する情報がClip Informationファイルとして格納される。各Clip Informationファイルには、５桁の数字と拡張子「.clpi」を組み合わせた名前が設定される。図２の３つのClip Informationファイルには、それぞれ、「01000.clpi」、「02000.clpi」、「03000.clpi」のファイル名が設定されている。
【００３９】
STREAMディレクトリには、所定の単位のＡＶストリームがストリームファイルとして格納される。各ストリームファイルには、５桁の数字と拡張子「.m2ts」を組み合わせた名前が設定される。図２の３つのストリームファイルには、それぞれ、「01000.m2ts」、「02000.m2ts」、「03000.m2ts」のファイル名が設定されている。
【００４０】
同じ５桁の数字がファイル名に設定されているClip Informationファイルとストリームファイルが１つのClipを構成するファイルとなる。「01000.m2ts」のストリームファイルの再生時には「01000.clpi」のClip Informationファイルが用いられ、「02000.m2ts」のストリームファイルの再生時には「02000.clpi」のClip Informationファイルが用いられる。
【００４１】
（ＡＶストリームの構成例）
図３は、ＡＶストリームの構成例を示す図である。
【００４２】
図３に示すように、ＡＶストリームには、SDR主映像ストリーム（SDR Video）、HDR主映像ストリーム（HDR Video）、音声ストリーム（BDMV Audio1,...,BDMV AudioX1）、字幕のグラフィックスストリーム(PG(Presentation Graphics))、およびメニュー画像のグラフィックスストリーム（IG(Interactive Graphics)）のPES(Packetized Elementary Stream)パケットが、TSパケット化されて、多重化される。
【００４３】
図３の例では、字幕のグラフィックスストリームとメニュー画像のグラフィックスストリームの両方が多重化されるが、いずれか一方のみが多重化されてもよい。なお、以下では、字幕のグラフィックスストリームを、字幕ストリームといい、メニュー画像のグラフィックスストリームを、メニューストリームという。
【００４４】
（グラフィックスストリームの構成例）
図４は、グラフィックスストリームの構成例を示す図である。
【００４５】
図４に示すように、グラフィックスストリームは、Epochと呼ばれるデータ単位のストリームであり、Epoch単位でシームレス再生が可能である。Epochは、任意の数のDisplay Setにより構成される。DisplaySetは、１画面分のグラフィックスのグラフィックスストリームである。
【００４６】
（字幕ストリームのDisplaySetの構成例）
図５は、字幕ストリームのDisplaySetの構成例を示す図である。
【００４７】
図５に示すように、字幕ストリームのDisplaySetは、PCS（Presentation Composition Segment），WDS(Window Definition Segment),ｎ個のSDRの字幕のPDS(Palette Definition Segment),ｍ個のHDRの字幕のPDS,ｐ個のODS(Object Definition Segment)、およびEND(End of Display Set Segment)により構成される。
【００４８】
PCSは、DisplaySetの先頭を示すセグメントであり、WDSに配置される字幕の表示位置情報のうちの１つが代表情報として配置される。代表情報は、SDRとHDRの字幕で同一であるため、SDRとHDRの字幕のPCSは共通化される。
【００４９】
WDSには、字幕の表示位置情報が配置される。表示位置情報は、SDRとHDRの字幕で同一であるため、SDRとHDRの字幕のWDSは共通化される。
【００５０】
PDSには、字幕の色として使用可能な色のY,Cb,Cr値および透明度を表す色情報が配置される。色情報は、SDRとHDRの字幕で異なるため、SDRの字幕のPDSとHDRの字幕のPDSがそれぞれ設けられる。図５の例では、ｎ（１以上の整数）種類の色情報が、画面内のSDRの字幕の色情報として使用可能であるため、ｎ個のSDRの字幕のPDSが設けられている。また、図５の例では、ｍ（１以上の整数）種類の色情報が、画面内のHDRの字幕の色情報として使用可能であるため、ｍ個のHDRの字幕のPDSが設けられている。
【００５１】
ODSには、字幕の各画素の画素値等を含む字幕の形状情報が配置される。形状情報は、SDRとHDRの字幕で同一であるため、SDRとHDRの字幕のODSは共通化される。図５の例では、画面内にｐ（１以上の整数）個の字幕が存在するため、ｐ個のODSが設けられている。ENDは、DisplaySetの終端を示すセグメントである。従って、ENDは、SDRとHDRの字幕の間で共通化される。
【００５２】
（メニューストリームのDisplaySetの構成例）
図６は、メニューストリームのDisplaySetの構成例を示す図である。
【００５３】
図６に示すように、メニューストリームのDisplaySetは、ICS(Interactive Composition Segment)，ｎ（１以上の整数）個のSDRのメニュー画像のPDS,ｍ個（１以上の整数）のHDRのメニュー画像のPDS,ｐ（１以上の整数）個のODS、およびENDにより構成される。
【００５４】
ICSは、DisplaySetの先頭を示すセグメントであり、メニュー画像が操作されたときに実行されるコマンドなどのメニュー情報が配置される。メニュー情報は、SDRとHDRのメニュー画像で同一であるため、SDRとHDRのメニュー画像のPCSは共通化される。
【００５５】
PDSには、メニュー画像の色として使用可能な色のY,Cb,Cr値および透明度を表す色情報が配置される。色情報は、SDRとHDRのメニュー画像で異なるため、SDRのメニュー画像のPDSとHDRのメニュー画像のPDSがそれぞれ設けられる。図６の例では、ｎ種類の色情報が、画面内のSDRのメニュー画像の色情報として使用可能であるため、ｎ個のSDRのメニュー画像のPDSが設けられている。また、図６の例では、ｍ種類の色情報が、画面内のHDRのメニュー画像の色情報として使用可能であるため、ｍ個のHDRのメニュー画像のPDSが設けられている。
【００５６】
ODSには、メニュー画像の各画素の画素値等を含むメニュー画像の形状情報が配置される。形状情報は、SDRとHDRのメニュー画像で同一であるため、SDRとHDRのメニュー画像のODSは共通化される。図６の例では、画面内にｐ個のメニュー画像が存在するため、ｐ個のODSが設けられている。ENDは、DisplaySetの終端を示すセグメントである。従って、ENDは、SDRとHDRのメニュー画像の間で共通化される。
【００５７】
以上のように、グラフィックスストリームでは、SDRとHDRのグラフィックスの間で、PDS以外のセグメントが共通化されるので、グラフィックスストリームのデータ量を削減することができる。また、グラフィックスストリームには、SDRのグラフィックスのPDSとHDRのグラフィックスのPDSが設けられるため、再生装置は、それらを区別する必要がある。
【００５８】
（PDSのシンタクスの例）
図７は、PDSのシンタクスの例を示す図である。
【００５９】
図７に示すように、PDSには、そのPDSのセグメントタイプを表すsegment_typeが記述される。segment_typeは、セグメントのタイプごとに割り当てられる値であるが、ここでは、SDRのグラフィックスのPDSとHDRのグラフィックスのPDSは、別のタイプのセグメントであるとして、これらのPDSに異なる値のsegment_typeが割り当てられる。
【００６０】
例えば、SDRのグラフィックスのPDSのsegment_typeとしては、既存のBD規格においてPDSに割り当てられているsegment_typeである0x14が割り当てられ、HDRのグラフィックスのPDSのsegment_typeとしては、0x19が割り当てられる。また、ODS、PCS,WDS、ICS,ENDのsegment_typeとしては、それぞれ、0x15,0x16,0x17,0x18,0x80が割り当てられる。
【００６１】
以上のように、SDRのグラフィックスのPDSのsegment_typeと、HDRのグラフィックスのPDSのsegment_typeは異なるので、再生装置は、PDSの中から、SDRのグラフィックスのPDSとHDRのグラフィックスのPDSを識別することができる。従って、SDRのグラフィックスのPDSとHDRのグラフィックスのPDSのsegment_typeは、SDRのグラフィックスのPDSとHDRのグラフィックスのPDSを識別する識別情報である。
【００６２】
また、PDSには、図７に示すように、色情報として、palette_entryごとに、そのpalette_entryのＩＤ(palette_entry_id)、Ｙ値（Y_value）、Ｃｒ値(Cr_value)、Ｃｂ値(Cb_value)、透明度(T_value)が記述される。palette_entry_idは、ODSに配置される画素値に対応しており、再生装置は、ODSに配置される画素値に対応するpalette_entry_idのpalette_entryのＹ値、Ｃｒ値、Ｃｂ値、および透明度に基づいて、グラフィックスの画像データを生成する。
【００６３】
なお、本技術は、画像に関する技術であるため、以下では、音声に関する技術の説明は省略する。
【００６４】
（記録装置の構成例）
図８は、図１の記録装置１の構成例を示すブロック図である。
【００６５】
記録装置１は、コントローラ２１、ビデオエンコーダ２２、グラフィックスエンコーダ２３、多重化部２４、およびディスクドライブ２５から構成される。HDRの主映像の画像データとSDRの主映像の画像データが、ビデオエンコーダ２２に入力され、SDRのグラフィックスの画像データおよびHDRのグラフィックスの画像データが、グラフィックスエンコーダ２３に入力される。
【００６６】
コントローラ２１は、CPU(Central Processing Unit)、ROM(Read Only Memory)、RAM(Random Access Memory)などより構成される。コントローラ２１は、所定のプログラムを実行し、記録装置１の全体の動作を制御する。例えば、コントローラ２１は、所定のプログラムを実行することにより、PlayListとClip Informationを生成し、ディスクドライブ２５に出力する。
【００６７】
ビデオエンコーダ２２は、コントローラ２１による制御にしたがって、HDRの主映像の画像データおよびSDRの主映像の画像データを符号化する。ビデオエンコーダ２２は、符号化の結果得られるHDR主映像ストリームとSDR主映像ストリームを多重化部２４に出力する。
【００６８】
グラフィックスエンコーダ２３（生成部）は、コントローラ２１による制御にしたがって、SDRのグラフィックスの画像データおよびHDRのグラフィックスの画像データを符号化する。グラフィックスエンコーダ２３は、符号化の結果生成されるグラフィックスストリームを多重化部２４に出力する。
【００６９】
多重化部２４は、ビデオエンコーダ２２から供給されるSDR主映像ストリームおよびHDR主映像ストリーム、並びに、グラフィックスエンコーダ２３から供給されるグラフィックスストリームのPESパケットをTSパケット化し、多重化する。多重化部２４は、その結果得られる１本のＡＶストリームをディスクドライブ２５に出力する。
【００７０】
ディスクドライブ２５は、コントローラ２１から供給されるPlayListおよびClip Information、並びに、多重化部２４から供給されるＡＶストリームをそれぞれファイルに格納し、図２のディレクトリ構造にしたがって光ディスク１１に記録する。
【００７１】
（記録装置の処理の説明）
図９は、図８の記録装置１の記録処理を説明するフローチャートである。この記録処理は、例えば、HDRの主映像の画像データとSDRの主映像の画像データが、ビデオエンコーダ２２に入力され、SDRのグラフィックスの画像データおよびHDRのグラフィックスの画像データが、グラフィックスエンコーダ２３に入力されたとき、開始される。
【００７２】
図９のステップＳ１１において、コントローラ２１は、PlayListとClip Informationを生成し、ディスクドライブ２５に出力する。
【００７３】
ステップＳ１２において、ビデオエンコーダ２２は、HDRの主映像およびSDRの主映像の画像データを符号化し、その結果得られるHDR主映像ストリームおよびSDR主映像ストリームを多重化部２４に出力する。
【００７４】
ステップＳ１３において、グラフィックスエンコーダ２３は、SDRのグラフィックスの画像データおよびHDRのグラフィックスの画像データを符号化し、その結果得られるグラフィックスストリームを多重化部２４に出力する。
【００７５】
ステップＳ１４において、多重化部２４は、SDR主映像ストリームおよびHDR主映像ストリーム、並びに、グラフィックスストリームのPESパケットをTSパケット化し、多重化する。多重化部２４は、その結果得られる１本のＡＶストリームをディスクドライブ２５に出力する。
【００７６】
ステップＳ１５において、ディスクドライブ２５は、PlayListおよびClip Information、並びに、ＡＶストリームをそれぞれファイルに格納し、図２のディレクトリ構造にしたがって光ディスク１１に記録する。そして、処理は終了する。
【００７７】
（再生装置の構成例）
図１０は、図１の再生装置２の構成例を示すブロック図である。
【００７８】
再生装置２は、コントローラ５１、ディスクドライブ５２、メモリ５３、ローカルストレージ５４、ネットワークインタフェース５５、操作入力部５６、分離部５７、ビデオデコーダ５８、グラフィックスデコーダ５９、合成部６０、およびHDMI通信部６１から構成される。
【００７９】
コントローラ５１は、CPU、ROM、RAMなどより構成される。コントローラ５１は、所定のプログラムを実行し、操作入力部５６からの操作信号などに応じて、再生装置２の全体の動作を制御する。例えば、コントローラ５１は、ディスクドライブ５２から供給されるPlayListとClip Informationに基づいて、ＡＶストリームの再生を制御する。
【００８０】
また、コントローラ５１は、HDMI通信部６１から供給される表示装置３が有するモニタの性能に関する情報に基づいて、表示装置３がHDRモニタを有する場合、HDR主映像ストリームの復号をビデオデコーダ５８に指示する。一方、表示装置３がSDRモニタを有する場合、コントローラ５１は、SDR主映像ストリームの復号をビデオデコーダ５８に指示する。
【００８１】
さらに、コントローラ５１は、表示装置３が有するモニタの性能に関する情報に基づいて、表示装置３がHDRモニタを有する場合、HDRのグラフィックスの画像データの生成をグラフィックスデコーダ５９に指示する。一方、表示装置３がSDRモニタを有する場合、コントローラ５１は、SDRのグラフィックスの画像データの生成をグラフィックスデコーダ５９に指示する。
【００８２】
ディスクドライブ５２は、コントローラ５１の制御にしたがって、光ディスク１１からPlayListとClip Informationを読み出し、コントローラ５１に出力する。また、ディスクドライブ５２は、コントローラ５１の制御にしたがって、光ディスク１１から再生対象のＡＶストリームを読み出し、分離部５７に出力する。
【００８３】
メモリ５３は、コントローラ５１が各種の処理を実行する上において必要なデータなどを記憶する。メモリ５３に記憶されているデータは、必要に応じてコントローラ５１により読み出される。
【００８４】
ローカルストレージ５４は、例えばHDD(Hard Disk Drive)により構成される。ローカルストレージ５４は、例えば、コントローラ５１の制御にしたがって、ネットワークインタフェース５５から供給されるデータなどを記録する。
【００８５】
ネットワークインタフェース５５は、コントローラ５１の制御にしたがって、インターネットなどのネットワークを介してサーバと通信を行い、サーバからデータをダウンロードする。ネットワークインタフェース５５は、ダウンロードされたデータをローカルストレージ５４に供給する。
【００８６】
分離部５７は、ディスクドライブ５２から供給されるＡＶストリームから、SDR主映像ストリーム、HDR主映像ストリーム、および、グラフィックスストリームを分離する。分離部５７は、分離されたSDR主映像ストリームとHDR主映像ストリームをビデオデコーダ５８に出力し、グラフィックスストリームをグラフィックスデコーダ５９に出力する。
【００８７】
ビデオデコーダ５８は、コントローラ５１からの指示にしたがって、分離部５７から供給されるSDR主映像ストリーム、または、HDR主映像ストリームを復号する。ビデオデコーダ５８は、復号の結果得られるSDRの主映像の画像データまたはHDRの主映像の画像データを合成部６０に出力する。
【００８８】
グラフィックスデコーダ５９は、コントローラ５１からの指示にしたがって、分離部５７から供給されるグラフィックスストリームを復号し、SDRのグラフィックスの画像データまたはHDRのグラフィックスの画像データを生成する。グラフィックスデコーダ５９は、生成されたSDRのグラフィックスの画像データまたはHDRのグラフィックスの画像データを合成部６０に出力する。
【００８９】
合成部６０は、ビデオデコーダ５８から供給されるHDRの主映像の画像データと、グラフィックスデコーダ５９から供給されるHDRのグラフィックスの画像データとを合成する。または、合成部６０は、ビデオデコーダ５８から供給されるSDRの主映像の画像データと、グラフィックスデコーダ５９から供給されるSDRのグラフィックスの画像データとを合成する。合成部６０は、合成の結果得られるHDRの画像データまたはSDRの画像データをHDMI通信部６１に出力する。
【００９０】
HDMI通信部６１は、HDMIケーブル４を介して表示装置３との間で通信を行う。例えば、HDMI通信部６１は、表示装置３が有するモニタの性能に関する情報を取得し、コントローラ５１に出力する。また、HDMI通信部６１は、合成部６０から供給されるHDRの画像データまたはSDRの画像データを表示装置３に出力する。
【００９１】
（グラフィックス復号処理部の構成例）
図１１は、図１０のグラフィックスデコーダ５９の構成例を示すブロック図である。
【００９２】
グラフィックスデコーダ５９は、TSバッファ９１、ESバッファ９２、プロセッサ９３、デコーダバッファ９４、コンポジッションバッファ９５、およびグラフィックスコントローラ９６、グラフィックスプレーン生成部９７、およびCLUT管理部９８から構成される。
【００９３】
TSバッファ９１は、図１０の分離部５７から供給されるグラフィックスストリームのTSパケットを記憶する。TSバッファ９１は、記憶しているTSパケットからなるグラフィックスストリームをESバッファ９２に出力する。
【００９４】
ESバッファ９２は、TSバッファ９１から供給されるグラフィックスストリームを記憶する。
【００９５】
プロセッサ９３は、ESバッファ９２からグラフィックスストリームを読み出す。プロセッサ９３は、読み出されたグラフィックスストリームからセグメントを抽出する。プロセッサ９３（識別部）は、各セグメントに含まれるsegment_typeに基づいて、PCS，WDS，SDRのグラフィックスのPDS、HDRのグラフィックスのPDS，ODS,ICS、およびENDを識別する。
【００９６】
プロセッサ９３は、識別されたPCS，WDS， HDRのグラフィックスのPDS，SDRのグラフィックスのPDS、およびICSに配置される情報を、制御情報として、コンポジッションバッファ９５に供給する。また、プロセッサ９３は、識別されたODSに配置される形状情報をデコーダバッファ９４に供給し、記憶させる。
【００９７】
デコーダバッファ９４は、プロセッサ９３から供給される形状情報を記憶する。この形状情報は、グラフィックスコントローラ９６により制御される読み出しタイミングで読み出され、グラフィックスプレーン生成部９７に供給される。
【００９８】
コンポジッションバッファ９５は、プロセッサ９３から供給される制御情報を記憶する。これにより、コンポジッションバッファ９５には、HDRのグラフィックスの色情報であるHDR色情報９５Ａと、SDRのグラフィックスの色情報であるSDR色情報９５Ｂとが記憶される。
【００９９】
グラフィックスコントローラ９６は、コンポジッションバッファ９５からHDR色情報９５ＡとSDR色情報９５Ｂ以外の制御情報を読み出す。グラフィックスコントローラ９６は、その制御情報に基づいて、デコーダバッファ９４とグラフィックスプレーン生成部９７における読み出しタイミングを制御する。
【０１００】
また、グラフィックスコントローラ９６は、図１０のコントローラ５１からHDRのグラフィックスの画像データの生成が指示された場合、コンポジッションバッファ９５からHDR色情報９５Ａを読み出し、CLUT管理部９８に供給する。一方、グラフィックスコントローラ９６は、コントローラ５１からSDRのグラフィックスの画像データの生成が指示された場合、コンポジッションバッファ９５からSDR色情報９５Ｂを読み出し、CLUT管理部９８に供給する。
【０１０１】
グラフィックスプレーン生成部９７は、デコーダバッファ９４から読み出された形状情報に基づいて、１画面分のグラフィックスであるグラフィックスプレーンの形状情報を生成する。グラフィックスプレーン生成部９７は、生成されたグラフィックスプレーンの形状情報を、グラフィックスコントローラ９６により制御される読み出しタイミングでCLUT管理部９８に出力する。
【０１０２】
CLUT管理部９８は、グラフィックスコントローラ９６から供給されるHDR色情報９５ＡまたはSDR色情報９５Ｂに基づいて、CLUTを記憶する。CLUTは、形状情報の画素値として用いられる値と、その値に対応する、HDR色情報９５ＡまたはSDR色情報９５Ｂのpalette_entryのYCbCr値および透明度とを対応付けたテーブルである。CLUT管理部９８は、CLUTに基づいて、グラフィックスプレーン生成部９７から供給される形状情報を、グラフィックスプレーンの各画素の8bitのYCbCr値および透明度からなる画像データに変換する。
【０１０３】
これにより、CLUT管理部９８（生成部）は、グラフィックスコントローラ９６からHDR色情報９５Ａが供給される場合、HDRのグラフィックスの画像データを生成し、SDR色情報９５Ｂが供給される場合、SDRのグラフィックスの画像データを生成する。CLUT管理部９８は、生成されたHDRのグラフィックスの画像データまたはSDRのグラフィックスの画像データを図１０の合成部６０に出力する。
【０１０４】
（再生装置の処理の説明）
図１２は、図１０の再生装置２の再生処理を説明するフローチャートである。この再生処理は、例えば、光ディスク１１が再生装置２に装着されたとき、開始される。
【０１０５】
図１２のステップＳ３１において、HDMI通信部６１は、HDMIケーブル４を介して、表示装置３から表示装置３が有するモニタの性能に関する情報を取得し、コントローラ５１に出力する。
【０１０６】
ステップＳ３２において、ディスクドライブ５２は、光ディスク１１から再生対象のPlayListとClip Informationを読み出し、コントローラ５１に出力する。コントローラ５１は、ディスクドライブ５２から供給されるPlayListとClip Informationに基づいて、ＡＶストリームの再生を制御する。
【０１０７】
ステップＳ３３において、ディスクドライブ５２は、コントローラ５１の制御にしたがって、光ディスク１１から再生対象のＡＶストリームを読み出し、分離部５７に出力する。
【０１０８】
ステップＳ３４において、分離部５７は、ディスクドライブ５２から供給されるＡＶストリームから、SDR主映像ストリーム、HDR主映像ストリーム、および、グラフィックスストリームを分離する。分離部５７は、分離されたSDR主映像ストリームとHDR主映像ストリームをビデオデコーダ５８に出力し、グラフィックスストリームをグラフィックスデコーダ５９に出力する。
【０１０９】
グラフィックスデコーダ５９のTSバッファ９１（図１１）は、分離部５７から供給されるグラフィックスストリームのTSパケットを記憶し、記憶しているTSパケットからなるグラフィックスストリームをESバッファ９２に出力し、記憶させる。
【０１１０】
ステップＳ３５において、プロセッサ９３は、ESバッファ９２からグラフィックスストリームを読み出し、読み出されたグラフィックスストリームからセグメントを抽出する。
【０１１１】
ステップＳ３６において、プロセッサ９３は、各セグメントに含まれるsegment_typeに基づいて、PCS，WDS， HDRのグラフィックスのPDS，SDRのグラフィックスのPDS,ODS,ICS、およびENDを識別する。プロセッサ９３は、識別されたPCS，WDS， HDRのグラフィックスのPDS，SDRのグラフィックスのPDS、およびICSに配置される情報を、制御情報として、コンポジッションバッファ９５に供給する。また、プロセッサ９３は、識別されたODSに配置される形状情報をデコーダバッファ９４に供給し、記憶させる。
【０１１２】
ステップＳ３７において、コンポジッションバッファ９５は、プロセッサ９３から供給されるHDR色情報９５ＡとSDR色情報９５Ｂを含む制御情報を記憶する。コンポジッションバッファ９５により記憶されたHDR色情報９５ＡとSDR色情報９５Ｂ以外の制御情報は、グラフィックスコントローラ９６により読み出され、デコーダバッファ９４とグラフィックスプレーン生成部９７における読み出しタイミングの制御に用いられる。
【０１１３】
ステップＳ３８において、グラフィックスプレーン生成部９７は、グラフィックスコントローラ９６により制御される読み出しタイミングでデコーダバッファ９４から読み出された形状情報に基づいて、グラフィックスプレーンの形状情報を生成する。グラフィックスプレーン生成部９７は、生成されたグラフィックスプレーンの形状情報を、グラフィックスコントローラ９６により制御される読み出しタイミングで、CLUT管理部９８に出力する。
【０１１４】
ステップＳ３９において、コントローラ５１は、HDMI通信部６１から供給される表示装置３が有するモニタの性能に関する情報に基づいて、表示装置３がHDRモニタを有するかどうかを判定する。
【０１１５】
ステップＳ３９で表示装置３がHDRモニタを有すると判定された場合、コントローラ５１は、HDR主映像ストリームの復号をビデオデコーダ５８に指示するとともに、HDRのグラフィックスの画像データの生成をグラフィックスデコーダ５９に指示する。そして、処理はステップＳ４０に進む。
【０１１６】
ステップＳ４０において、ビデオデコーダ５８は、分離部５７から供給されるHDR主映像ストリームを復号し、その結果得られるHDRの主映像の画像データを合成部６０に出力する。
【０１１７】
ステップＳ４１において、グラフィックスコントローラ９６は、コンポジッションバッファ９５からHDR色情報９５Ａを読み出し、CLUT管理部９８に供給する。
【０１１８】
ステップＳ４２において、CLUT管理部９８は、HDR色情報９５Ａに基づいてCLUTを記憶し、そのCLUTに基づいて、グラフィックスプレーン生成部９７から供給される形状情報から、HDRのグラフィックスの画像データを生成する。CLUT管理部９８は、生成されたHDRのグラフィックスの画像データを合成部６０に出力する。
【０１１９】
ステップＳ４３において、合成部６０は、ビデオデコーダ５８から供給されるHDRの主映像の画像データと、CLUT管理部９８から供給されるHDRのグラフィックスの画像データとを合成する。ステップＳ４４において、合成部６０は、合成の結果得られるHDRの画像データを、HDMI通信部６１を介して表示装置３に出力し、処理を終了する。
【０１２０】
一方、ステップＳ３９で表示装置３がHDRモニタを有していないと判定された場合、即ち、表示装置３がSDRモニタを有している場合、コントローラ５１は、SDR主映像ストリームの復号をビデオデコーダ５８に指示する。また、コントローラ５１は、SDRのグラフィックスの画像データの生成をグラフィックスデコーダ５９に指示する。そして、処理はステップＳ４５に進む。
【０１２１】
ステップＳ４５において、ビデオデコーダ５８は、分離部５７から供給されるSDR主映像ストリームを復号し、その結果得られるSDRの主映像の画像データを合成部６０に出力する。
【０１２２】
ステップＳ４６において、グラフィックスコントローラ９６は、コンポジッションバッファ９５からSDR色情報９５Ｂを読み出し、CLUT管理部９８に供給する。
【０１２３】
ステップＳ４７において、CLUT管理部９８は、SDR色情報９５Ｂに基づいてCLUTを記憶し、そのCLUTに基づいて、グラフィックスプレーン生成部９７から供給される形状情報から、SDRのグラフィックスの画像データを生成する。CLUT管理部９８は、生成されたSDRのグラフィックスの画像データを合成部６０に出力する。
【０１２４】
ステップＳ４８において、合成部６０は、ビデオデコーダ５８から供給されるSDRの主映像の画像データと、グラフィックスデコーダ５９から供給されるSDRのグラフィックスの画像データとを合成する。ステップＳ４９において、合成部６０は、合成の結果得られるSDRの画像データを、HDMI通信部６１を介して表示装置３に出力し、処理を終了する。
【０１２５】
以上のように、グラフィックスストリームには、HDRのグラフィックスのPDSおよびSDRのグラフィックスのPDSのsegment_typeとして異なる値が記述される。従って、再生装置２は、HDRのグラフィックスのPDSとSDRのグラフィックスのPDSを識別し、HDRのグラフィックスの画像データやSDRのグラフィックスの画像データを生成することができる。
【０１２６】
なお、上述した説明では、グラフィックスの色のダイナミックレンジの種類が、SDRとHDRの２種類であるものとしたが、３種類以上であってもよい。
【０１２７】
例えば、グラフィックスの色のダイナミックレンジの種類が、SDR,第１のHDR、および第１のHDRとは異なる第２のHDRの３種類である場合、字幕ストリームのDisplaySetは、図１３に示すように構成される。
【０１２８】
図１３の字幕ストリームのDisplaySetは、SDRの字幕のPDSおよびHDRの字幕のPDSの代わりに、SDRの字幕のPDS、第１のHDRの字幕のPDS、および第２のHDRの字幕のPDSが配置される点が、図５の構成と異なる。
【０１２９】
図１３の例では、ｌ（１以上の整数）種類の色情報が、画面内のSDRの字幕の色情報として使用可能であるため、ｌ個のSDRの字幕のPDSが設けられている。また、ｍ（１以上の整数）種類の色情報が、画面内の第１のHDRの字幕の色情報として使用可能であるため、ｍ個の第１のHDRの字幕のPDSが設けられている。さらに、ｎ（１以上の整数）種類の色情報が、画面内の第２のHDRの字幕の色情報として使用可能であるため、ｎ個の第２のHDRの字幕のPDSが設けられている。
【０１３０】
また、SDRの字幕のPDS、第１のHDRの字幕のPDS、および第２のHDRの字幕のPDSには、それぞれ、異なるsegment_typeが割り当てられる。例えば、SDRのグラフィックスのPDS、第１のHDRのグラフィックスのPDS、第２のHDRのグラフィックスのPDSのsegment_typeとして、それぞれ、0x14,0x19,0x20が割り当てられる。
【０１３１】
＜第２実施の形態＞
（本開示を適用したコンピュータの説明）
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１３２】
図１４は、上述した一連の処理をプログラムにより実行するコンピュータのハードウエアの構成例を示すブロック図である。
【０１３３】
コンピュータ２００において、CPU（Central Processing Unit）２０１，ROM（Read Only Memory）２０２，RAM（Random Access Memory）２０３は、バス２０４により相互に接続されている。
【０１３４】
バス２０４には、さらに、入出力インタフェース２０５が接続されている。入出力インタフェース２０５には、入力部２０６、出力部２０７、記憶部２０８、通信部２０９、及びドライブ２１０が接続されている。
【０１３５】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０１３６】
以上のように構成されるコンピュータ２００では、CPU２０１が、例えば、記憶部２０８に記憶されているプログラムを、入出力インタフェース２０５及びバス２０４を介して、RAM２０３にロードして実行することにより、上述した一連の処理が行われる。
【０１３７】
コンピュータ２００（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０１３８】
コンピュータ２００では、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０１３９】
なお、コンピュータ２００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１４０】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１４１】
本明細書に記載された効果はあくまで例示であって限定されるものではなく、他の効果があってもよい。
【０１４２】
また、本開示の実施の形態は、上述した実施の形態に限定されるものではなく、本開示の要旨を逸脱しない範囲において種々の変更が可能である。
【０１４３】
例えば、コンテンツの提供は、放送波やネットワークを介して行われるようにすることもできる。この場合、本開示は、放送波を受信するセットトップボックスやテレビジョン受像機、ネットワークを介してデータを送受信するパーソナルコンピュータなどに適用することができる。
【０１４４】
また、HDRのグラフィックスのPDSとSDRのグラフィックスのPDSを識別する識別情報は、segment_typeに限定されず、PDSに記述される、PDSに固有のＩＤであるpalette_id等であってもよい。この場合、例えば、所定の範囲の値（例えば0〜127）がpalette_idとして記述されるPDSは、SDRのグラフィックスのPDSとして識別され、その範囲外の値（例えば128〜255）がpalette_idとして記述されるPDSは、HDRのグラフィックスのPDSとして識別される。
【０１４５】
また、上述した説明では、図１１のコンポジッションバッファ９５は、HDR色情報９５ＡとSDR色情報９５Ｂの両方を記憶するようにしたが、表示装置３のモニタに対応する一方のみを記憶するようにしてもよい。
【０１４６】
なお、本開示は、以下のような構成もとることができる。
【０１４７】
（１）
グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームから、前記識別情報に基づいて、前記第１の色情報と前記第２の色情報を識別する識別部と、
前記識別部により識別された前記第１の色情報に基づいて、前記第１のダイナミックレンジの色の前記グラフィックスを生成する生成部と
を備える情報処理装置。
（２）
前記生成部は、前記識別部により識別された前記第２の色情報に基づいて、前記第２のダイナミックレンジの色の前記グラフィックスを生成する
前記（１）に記載の情報処理装置。
（３）
前記第１の色情報と前記第２の色情報は、それぞれ、セグメントに配置され、
前記識別情報は、前記第１の色情報が配置される前記セグメントのタイプを表す第１のセグメントタイプ情報と、前記第２の色情報が配置される前記セグメントのタイプとして、前記第１の色情報が配置される前記セグメントのタイプとは異なるタイプを表す第２のセグメントタイプ情報とからなる
ように構成された
前記（１）または（２）に記載の情報処理装置。
（４）
前記第１のセグメントタイプ情報は、前記第１の色情報が配置される前記セグメントに配置され、
前記第２のセグメントタイプ情報は、前記第２の色情報が配置される前記セグメントに配置される
ように構成された
前記（３）に記載の情報処理装置。
（５）
前記第１の色情報が配置される前記セグメントと、前記第２の色情報が配置される前記セグメントは、PDS(Palette Definition Segment)である
ように構成された
前記（３）または（４）に記載の情報処理装置。
（６）
前記第１のダイナミックレンジは、SDR（standard dynamic range）であり、前記第２のダイナミックレンジは、HDR（high dynamic range）である
ように構成された
前記（１）乃至（５）のいずれかに記載の情報処理装置。
（７）
前記グラフィックスは、字幕である
ように構成された
前記（１）乃至（６）のいずれかに記載の情報処理装置。
（８）
前記グラフィックスは、メニュー画像である
前記（１）乃至（７）のいずれかに記載の情報処理装置。
（９）
情報処理装置が、
グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームから、前記識別情報に基づいて、前記第１の色情報と前記第２の色情報を識別する識別ステップと、
前記識別ステップの処理により識別された前記第１の色情報に基づいて、前記第１のダイナミックレンジの色の前記グラフィックスを生成する生成ステップと
を含む情報処理方法。
（１０）
コンピュータを、
グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームから、前記識別情報に基づいて、前記第１の色情報と前記第２の色情報を識別する識別部と、
前記識別部により識別された前記第１の色情報に基づいて、前記第１のダイナミックレンジの色の前記グラフィックスを生成する生成部と
して機能させるためのプログラム。
（１１）
グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームが記録され、情報処理装置に装着され、再生される記録媒体であって、
前記グラフィックスストリームを取得した情報処理装置に、前記グラフィックスストリームから、前記識別情報に基づいて、前記第１の色情報と前記第２の色情報を識別させ、
識別された前記第１の色情報に基づいて、前記第１のダイナミックレンジの色の前記グラフィックスを生成させる
記録媒体。
（１２）
グラフィックスに使用可能な第１のダイナミックレンジの色の情報である第１の色情報と、前記グラフィックスに使用可能な第２のダイナミックレンジの色の情報である第２の色情報と、前記第１の色情報と前記第２の色情報を識別する識別情報とを含むグラフィックスストリームを生成する生成部
を備える情報処理装置。
【符号の説明】
【０１４８】
１  記録装置,  ２  再生装置，  １１  光ディスク,  ２３  グラフィックスエンコーダ，  ９５Ｂ  SDR色情報，  ９５Ａ  HDR色情報，  ９３  プロセッサ，  ９８  CLUT管理部
【図１】
2016039170.tif 000003
【図２】
2016039170.tif 000004
【図３】
2016039170.tif 000005
【図４】
2016039170.tif 000006
【図５】
2016039170.tif 000007
【図６】
2016039170.tif 000008
【図７】
2016039170.tif 000009
【図８】
2016039170.tif 000010
【図９】
2016039170.tif 000011
【図１０】
2016039170.tif 000012
【図１１】
2016039170.tif 000013
【図１２】
2016039170.tif 000014
【図１３】
2016039170.tif 000015
【図１４】
2016039170.tif 000016
【国際調査報告】
2016039170.tif 000017
2016039170.tif 000018
2016039170.tif 000019
2016039170.tif 000020